(57)【要約】【目的】  少ない数のキー操作で所望の下層のデータ放送（コンテンツ）を視聴することができるディジタル放送受信装置を提供する。【構成】  コンテンツ選択用に専用のお好みキーを設けておく。また、予めリモコン送信機のカラーキー（青、赤、緑、黄）に４つのジャンルのデータ放送コンテンツをプリセットしておく。例えば、「青キー→ＢＳ：１０３ｃｈ：データ放送選択：気象情報」のごとくである。このプリセット情報は、メモリ１４に格納しておく。ＣＰＵ１３は、お好みキーの押下を検出すると、カラーキーによるコンテンツ選択モードに移行する。ＣＰＵ１３は、上記モードにおいて青キーの押下を検出すると、ディジタル放送としてＢＳディジタル放送を選択し、このＢＳディジタル放送の１０３ｃｈを選択し、この１０３ｃｈのデータ放送を選択し、このデータ放送のなかの気象情報を選択する一連の処理を自動実行する。【選択図】        図１
2005252316.tif 000002
【特許請求の範囲】
【請求項１】
番組に付随するデータ放送のデータを取り出してデータ放送を表示することができるディジタル放送受信装置において、チャンネルを特定する情報及び番組に付随するデータ放送の下層に在るコンテンツを取り出すのに必要とされる情報と所定キーの情報とを対応付けて記憶する情報記憶部と、所定キーの操作を示す信号を受けたときに、前記情報記憶部の情報を参照してコンテンツを表示するための処理を行う手段と、を備えたことを特徴とするディジタル放送受信装置。
【請求項２】
請求項１に記載のディジタル放送受信装置において、所定の操作がなされたときに、前記所定キーとコンテンツとの対応関係を示す確認画面を表示するように構成されたことを特徴とするディジタル放送受信装置。
【請求項３】
請求項２に記載のディジタル放送受信装置において、データ放送のデータに含まれるコンテンツ選択用のアイコンの画像を保持すると共に所定キーに対応するアイコンを前記確認画面上に表示するように構成され、この確認画面上のアイコンとして前記保持した画像を利用することを特徴とするディジタル放送受信装置。
【請求項４】
請求項３に記載のディジタル放送受信装置において、コンテンツ選択用のアイコンの画像が取得できなかった場合に、画像を利用するアイコン表示に替えて、チャンネル番号を利用した文字列表示を行うことを特徴とするディジタル放送受信装置。
【請求項５】
番組に付随するデータ放送のデータを取り出してデータ放送を表示することができるディジタル放送受信装置において、チャンネルを特定する情報及び番組に付随するデータ放送の下層に在るコンテンツを取り出すのに必要とされる情報と画面表示される画面ボタンの情報とを対応付けて記憶する情報記憶部と、前記画面ボタンの選択を示す信号を受けたときに、前記情報記憶部の情報を参照してコンテンツを表示するための処理を行う手段と、を備えたことを特徴とするディジタル放送受信装置。
【請求項６】
請求項５に記載のディジタル放送受信装置において、データ放送のデータに含まれるコンテンツ選択用のアイコンの画像を保持すると共に前記画面ボタンとしてアイコンを表示するように構成され、前記画面ボタンのアイコンとして前記保持した画像を利用することを特徴とするディジタル放送受信装置。
【請求項７】
請求項６に記載のディジタル放送受信装置において、コンテンツ選択用のアイコンの画像が取得できなかった場合に、画像を利用するアイコン表示に替えて、チャンネル番号を利用した文字列表示を行うことを特徴とするディジタル放送受信装置。
【請求項８】
請求項１乃至請求項７のいずれかに記載のディジタル放送受信装置において、番組に付随するデータ放送の下層に在るコンテンツが表示されるまでのユーザのキー操作情報を記憶し、このキー操作情報に基づいてチャンネルを特定する情報及びコンテンツを取り出すのに必要とされる情報を生成することを特徴とするディジタル放送受信装置。
【請求項９】
請求項１乃至請求項７のいずれかに記載のディジタル放送受信装置において、番組に付随するデータ放送の下層に在るコンテンツが表示されるまでのユーザのキー操作情報及びデータ放送表示後のコンテンツ選択の際に生成されるキーコードを記憶し、前記キー操作情報及びキーコードに基づいてチャンネルを特定する情報及びコンテンツを取り出すのに必要とされる情報を生成することを特徴とするディジタル放送受信装置。
【請求項１０】
請求項１乃至請求項９のいずれかに記載のディジタル放送受信装置において、チャンネルを特定する情報及び番組に付随するデータ放送の下層に在るコンテンツを取り出すのに必要とされる情報に加えて、放送を特定する情報を含むことを特徴とするディジタル放送受信装置。
【請求項１１】
請求項１乃至請求項９のいずれかに記載のディジタル放送受信装置において、リモートコントローラ又は本体側に設けられた特定キーが操作されたときに、前記所定キー又は画面ボタンによるコンテンツ選択のモードとなるように構成されたことを特徴とするディジタル放送受信装置。
【請求項１２】
番組に付随するデータ放送のデータを取り出してデータ放送を表示することができるディジタル放送受信装置に用いられるリモートコントローラにおいて、ユーザのキー操作情報を記憶する手段と、前記キー操作情報を所定キーに対応付ける手段と、所定キーが操作されたときに前記キー操作情報に従ってリモートコントロール信号を順次に送出する手段と、を備えたことを特徴とするリモートコントローラ。
【発明の詳細な説明】
【技術分野】
【０００１】
この発明は、ディジタル放送を受信するディジタル放送受信装置に関する。
【背景技術】
【０００２】
衛星（ＣＳ，ＢＳ）や地上波を用いたディジタル放送を受信するディジタル放送受信装置は、専用のアンテナや地上波用アンテナを通して受け取った複数の放送波のなかから任意の放送波をチューナによって選択し、この選択した放送波に含まれる複数のチャンネルのなかから任意のチャンネルをデマルチプレクス処理によって選択し、この選択したチャンネルのディジタル信号を取り出し、これをデコードすることによって映像・音声信号を出力する。
【０００３】
かかるディジタル放送においては、番組の映像音声の他にデータ放送が可能になっている。データ放送には独立データ放送と番組に付随する番組付随型のデータ放送がある（特許文献１参照）。
【０００４】
番組付随型のデータ放送の選局の方法を図７のフローチャートに基づいて説明していく。また、リモートコントローラの例を図８に示す。ユーザは、まず、入力切替もしくは各ディジタル放送の専用の切り替えキー（ＢＳ，ＣＳ１，ＣＳ２）を所望のデータ放送が存在するディジタル放送に切り替える。図７では、ＢＳが選択される場合を示している。この場合、ユーザは、リモートコントローラのＢＳキーを押すか若しくは入力切替キーを押し、ＢＳディジタル放送の受信を行わせる。次に、チャンネルを特定する操作を行う（ステップＳ１０１）。ユーザは、プリセットされたキーを用いるか（プリセット選択）、或いは、チャンネル番号入力キーを押した後にテンキーを用いて番号を入力するか（ダイレクト選択）、或いは、番組表キーを押してＥＰＧ（Ｅｌｅｃｔｒｏｎｉｃ  Ｐｒｏｇｒａｍ  Ｇｕｉｄｅ）を表示し、カーソルキー（十字キー）および決定キーで選局を行うことになる（ステップＳ１０２）。
【０００５】
以上の操作で所望のデータ放送が存在するディジタル放送（チャンネル）が選局される。更に、ユーザはリモートコントローラの［ｄ］キー（データキー）を押す（ステップＳ１０３）。これにより、データ放送の初期画面（スタートアップ画面）が表示される。データ放送の初期画面上では、例えば「気象情報  赤ボタン」「ニュース  緑ボタン」のごとく表示される。ユーザは、気象情報が所望であれば、リモートコントローラの赤ボタンを押下することになる。
【特許文献１】特開２００２−４４５４７号公報
【発明の開示】
【発明が解決しようとする課題】
【０００６】
このように、番組付随型のデータ放送を視聴するためには、数多くのリモコンキー操作が必要になり、１０数回の操作が必要になる場合もある。ユーザが同じデータ放送の所望のコンテンツを後日に見たいと思った場合には、再度同じリモコンキー操作が必要になり、また、どのようなリモコンキー操作が必要であったかを失念することもある。
【０００７】
この発明は、上記の事情に鑑み、番組付随型のデータ放送を視聴することにおいて使い勝手に優れたディジタル放送受信装置を提供することを目的とする。
【課題を解決するための手段】
【０００８】
この発明のディジタル放送受信装置は、上記の課題を解決するために、番組に付随するデータ放送のデータを取り出してデータ放送を表示することができるディジタル放送受信装置において、チャンネルを特定する情報及び番組に付随するデータ放送の下層に在るコンテンツを取り出すのに必要とされる情報と所定キーの情報とを対応付けて記憶する情報記憶部と、所定キーの操作を示す信号を受けたときに、前記情報記憶部の情報を参照してコンテンツを表示するための処理を行う手段と、を備えたことを特徴とする。
【０００９】
上記の構成であれば、ユーザは所定キーを操作することで所望のコンテンツを直ちに表示させることができ、番組付随型のデータ放送を視聴することにおいて使い勝手に優れたものとなる。
【００１０】
上記構成のディジタル放送受信装置において、所定の操作がなされたときに、前記所定キーとコンテンツとの対応関係を示す確認画面を表示するように構成されていても良い。また、かかる構成において、データ放送のデータに含まれるコンテンツ選択用のアイコンの画像を保持すると共に所定キーに対応するアイコンを前記確認画面上に表示するように構成され、この確認画面上のアイコンとして前記保持した画像を利用するようになっていてもよい。また、かかる構成において、コンテンツ選択用のアイコンの画像が取得できなかった場合に、画像を利用するアイコン表示に替えて、チャンネル番号を利用した文字列表示を行うように構成されていてもよい。
【００１１】
また、この発明のディジタル放送受信装置は、番組に付随するデータ放送のデータを取り出してデータ放送を表示することができるディジタル放送受信装置において、チャンネルを特定する情報及び番組に付随するデータ放送の下層に在るコンテンツを取り出すのに必要とされる情報と画面表示される画面ボタンの情報とを対応付けて記憶する情報記憶部と、前記画面ボタンの選択を示す信号を受けたときに、前記情報記憶部の情報を参照してコンテンツを表示するための処理を行う手段と、を備えたことを特徴とする。
【００１２】
上記構成であれば、ユーザは画面ボタンに対する操作を行うことで所望のコンテンツを直ちに表示させることができ、番組付随型のデータ放送を視聴することにおいて使い勝手に優れたものとなる。
【００１３】
上記構成のディジタル放送受信装置において、データ放送のデータに含まれるコンテンツ選択用のアイコンの画像を保持すると共に前記画面ボタンとしてアイコンを表示するように構成され、前記画面ボタンのアイコンとして前記保持した画像を利用するようにしてもよい。また、かかる構成において、コンテンツ選択用のアイコンの画像が取得できなかった場合に、画像を利用するアイコン表示に替えて、チャンネル番号を利用した文字列表示を行うこととしてもよい。
【００１４】
これら構成のディジタル放送受信装置において、番組に付随するデータ放送の下層に在るコンテンツが表示されるまでのユーザのキー操作情報を記憶し、このキー操作情報に基づいてチャンネルを特定する情報及びコンテンツを取り出すのに必要とされる情報を生成するようになっていてもよい。また、番組に付随するデータ放送の下層に在るコンテンツが表示されるまでのユーザのキー操作情報及びデータ放送表示後のコンテンツ選択の際に生成されるキーコードを記憶し、前記キー操作情報及びキーコードに基づいてチャンネルを特定する情報及びコンテンツを取り出すのに必要とされる情報を生成するようになっていてもよい。また、チャンネルを特定する情報及び番組に付随するデータ放送の下層に在るコンテンツを取り出すのに必要とされる情報に加えて、放送を特定する情報（例えば、ＢＳかＣＳか地上ディジタルかを示す情報）を含んでもよい。また、リモートコントローラ又は本体側に設けられた特定キーが操作されたときに、前記所定キー又は画面ボタンによるコンテンツ選択のモードとなるように構成されているのがよい。
【００１５】
また、この発明のリモートコントローラは、番組に付随するデータ放送のデータを取り出してデータ放送を表示することができるディジタル放送受信装置に用いられるリモートコントローラにおいて、ユーザのキー操作情報を記憶する手段と、前記キー操作情報を所定キーに対応付ける手段と、所定キーが操作されたときに前記キー操作情報に従ってリモートコントロール信号を順次に送出する手段と、を備えたことを特徴とする。
【００１６】
上記構成であれば、本体側の構成はそのままに、簡単なリモートコントローラ操作で所望のコンテンツを直ちに表示させることが可能となる。
【発明の効果】
【００１７】
この発明であれば、少ない数のキー操作で所望の下層のデータ放送（コンテンツ）を視聴することができるという効果を奏する。
【発明を実施するための最良の形態】
【００１８】
以下、この発明の実施形態を図１乃至図６及び図８に基づいて説明するが、ここでは衛星放送（ＢＳ，ＣＳ）、及び地上ディジタル放送を受信することができる構成を例示している。
【００１９】
図１において、アンテナ１は、屋外において所定の方向に向けて配置されており、衛星や地上放送局から送られてくるディジタル放送信号を受信する。
【００２０】
チューナ２は、映像・音声データを含む高周波ディジタル変調信号のうちから特定周波数の信号を取り出す。すなわち、ディジタル放送の複数のトランスポンダのなかから一つを選択する処理を行う。また、チューナ２は、復調回路、逆インタリーブ回路、誤り訂正回路などを備えることにより、選択したディジタル変調信号を復調してトランスポート・ストリームを出力する。
【００２１】
デマルチプレクサ（ＤＥＭＵＸ）３は、前記トランスポート・ストリームを、ＭＰＥＧ２（Ｍｏｖｉｎｇ  Ｐｉｃｔｕｒｅ  Ｅｘｐｅｒｔｓ  Ｇｒｏｕｐ２）のビデオストリーム、オーディオストリーム、およびＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）等に分離する。デマルチプレクサ３は、ビデオストリームとオーディオストリームをＡＶデコーダ４に供給し、ＰＳＩ／ＳＩに含まれる番組情報（番組名、番組開始時刻、番組内容情報、番組ジャンル情報等）等をＣＰＵ１３に供給し、データ放送データをＢＭＬ（ＸＭＬ）ブラウザ２０に供給する。なお、前述のごとく、トランスポート・ストリームには複数のチャンネルが多重化されており、このなかから任意のチャンネルを選択するための処理は、前記ＰＳＩ／ＳＩから任意のチャンネルがトランスポート・ストリーム中でどのパケットＩＤで多重化されているかといったデータを取り出すことで可能となる。また、トランスポート・ストリームの選定もＰＳＩ／ＳＩの情報に基づいて行うことができる。
【００２２】
ＡＶデコーダ４はビデオストリームに対してデコードを行うビデオデコーダ、オーディオストリームに対してデコードを行うオーディオデコーダを備える。ビデオデコーダは、入力された可変長符号を復号して量子化係数や動きベクトルを求め、逆ＤＣＴ変換や動きベクトルに基づく動き補償制御等を行う。オーディオデコーダは、入力された符号化信号を復号して音声データを生成する。映像データはスケーラ／ＯＳＤ回路１２を経て映像処理回路５に出力され、音声データは音声処理回路６に出力される。
【００２３】
映像処理回路５は、スケーラ／ＯＳＤ回路１２を経た映像データを受け取ってＤ／Ａ変換を行い、例えばコンポジット映像信号に変換する。音声処理回路６は、デコーダ４から出力された音声データを受け取ってＤ／Ａ変換を行い、例えば右（Ｒ）音のアナログ信号及び左（Ｌ）音のアナログ信号を生成する。
【００２４】
映像出力回路７及び音声出力回路８は出力抵抗や増幅器等を備えて成る。ＡＶ出力端子９には、出力部（左右音声出力端子等や映像出力端子等のセット）が設けられており、この出力部には、映像／音声コード１７によってディスプレイ１６ａ及びスピーカ１６ｂを備えるモニタ１６が接続される。
【００２５】
スケーラ／ＯＳＤ回路１２はブラウザ２０やＣＰＵ１３から出力指示された文字情報や色情報に基づく映像データを生成する回路であり、このスケーラ／ＯＳＤ回路１２により、番組情報に基づくＥＰＧ（Ｅｌｅｃｔｒｏｎｉｃ  Ｐｒｏｇｒａｍ  Ｇｕｉｄｅ）表示、データ放送表示、メニュー画面表示などが行えることになる。
【００２６】
リモコン送信機（リモートコントローラ）１０は、当該放送受信装置３０に指令を送出するための送信機である。このリモコン送信機１０に設けられた図示しないキーを操作すると、そのキーに対応した指令を意味する信号光（リモコン信号）が図示しない発光部から送出される。リモコン受光器１１は、前記信号光を受光し、これを電気信号に変換してＣＰＵ１３に与える。リモコン送信機１０としては、図８に示したものを用いることができる。
【００２７】
メモリ（ＲＡＭ、ＥＥＰＲＯＭ、フラッシュメモリ、ＲＯＭ等）１４には、ＥＰＧ画面表示用の番組情報、データ放送の下層コンテンツを表示するための情報、この情報とキーや画面ボタンとの割り当てデータなどが格納される。
【００２８】
ＣＰＵ１３は、このディジタル放送受信装置３０における全体制御を行うものであるが、特にこの発明にかかる制御として、以下に示すごとく、データ放送表示に関する制御を実行する。以下では、まず、所定キー（画面ボタン）によるコンテンツ選択の操作について二態様を説明した後、コンテンツが選択されたときの処理、及び所定キー（画面ボタン）とコンテンツの対応関係生成処理等について説明していく。
【００２９】
１．［カラーキーによるコンテンツ選択］  この例では、コンテンツ選択用にリモコン送信機１０に特定キー（以下、お好みキーという）を設けている。また、予めリモコン送信機１０のカラーキー（青、赤、緑、黄）に４つのジャンルのデータ放送コンテンツをプリセットしておく（工場出荷時、販売時等）。例えば、「青キー→ＢＳ：１０３ｃｈ：データ放送選択：気象情報」のごとくである。このプリセット情報は、メモリ１４に格納しておく。同様に、赤キーに対し、ＢＳ１０３のデータ放送の下層にあるニュースのデータ放送、緑キーに対し、ＢＳ１０３のデータ放送の下層にあるスポーツのデータ放送、黄キーに対し、ＢＳ１０３のデータ放送の下層にある円と株のデータ放送を各々割り当てておく（図２参照）。ＣＰＵ１３は、お好みキーの押下を検出すると、図２の確認画面をＥＰＧ表示すると共にカラーキーによるコンテンツ選択モードに移行する。ユーザはこの確認画面を見て例えば青キーに気象情報が割り当てられていることを確認できる。ＣＰＵ１３は、上記モードにおいて青キーの押下を検出すると、ディジタル放送としてＢＳディジタル放送を選択し、このＢＳディジタル放送の１０３ｃｈを選択し、この１０３ｃｈのデータ放送を選択し、このデータ放送のなかの気象情報を選択する一連の処理を自動実行する。ユーザにとってみれば、図６に示すごとく、お好みキーの押下（ステップＳ１）と、例えば青キーの押下（ステップＳ２）によって所望のコンテンツを表示させることができる。なお、図３は確認画面の変形例を示している。この画面の作成処理については、後述する。
【００３０】
２．［画面上のボタンによるコンテンツ選択］  この例でも、お好みキーを設けておくこととする。また、予め画面上のボタンにデータ放送コンテンツをプリセットしておく。例えば、「気象情報ボタン→ＢＳ：１０３ｃｈ：データ放送選択：気象情報」のごとくである。このプリセット情報はメモリ１４に格納しておく。ＣＰＵ１３は、お好みキーの押下を検出すると、図４のボタン画面を表示すると共に画面ボタンによるコンテンツ選択モードに移行する。ユーザはこのボタン画面を見て例えば気象情報が所望であれば、リモコン送信機の方向キー（十字キー）を操作してカーソルを気象情報ボタン上に移動させて決定キーを押下する。ＣＰＵ１３は、カーソルが気象情報ボタン上に位置している状態で決定キーの押下を検出すると、ディジタル放送としてＢＳディジタル放送を選択し、このＢＳディジタル放送の１０３ｃｈを選択し、この１０３ｃｈのデータ放送を選択し、このデータ放送のなかの気象情報を選択する一連の処理を自動実行する。
【００３１】
上述した「１」の例では、カラーキーの数だけのジャンルしか用意できないこととなるが、上述した「２」の例では、カラーキーの数に制限されずに多数のジャンルのコンテンツを用意できることになる。なお、「１」の例と「２」の例を併存させることもできる。例えば、お好みキーが短い時間押下されたときには、「１」の処理を実行し、お好みキーが長押しされたときには、「２」の処理を実行することとすればよい。また、これらの例において、お好みキーが押下される前の状態でＢＳディジタル放送以外のソース（アナログ地上波放送、ＢＳアナログ放送、ＣＳ１１０度ディジタル放送、ディジタルデータ放送、ビデオ等外部入力）を視聴していたとしても、上記お好みキーの押下とその次の操作にて所望のデータ放送コンテンツを視聴できることになる。
【００３２】
ところで、ブラウザ２０は、気象情報のコンテンツを取得するとき、ＤＩＩ（downroad  info  indication）を用い、気象情報を示すＩＤ（識別情報）を持つデータをデマルチプレクスさせて取り出せばよい。前記気象情報をカラーキーや画面ボタンに登録する場合、ＣＰＵ１３は、気象情報を示すＩＤ（識別情報）をカラーキーや画面ボタンの情報に対応付けてメモリ１４に格納すればよい。また、ユーザ操作で気象情報（そのアイコン）が選択されたときに、ブラウザ２０においていわゆるキーコードが生成される場合もある。ＣＰＵ１３は、キーコードをカラーキーや画面ボタンの情報に対応付けてメモリ１４に格納することとしてもよい。
【００３３】
更に述べると、下層のデータ放送（コンテンツ）を受信する方法は、そのデータ放送の構造により異なるのでそのデータ放送を受信したときのプロセスを記憶し、ソフト的にその手順を再現することとしてもよいのであるが、現在行われている放送では、データ放送に対応したキーコードが選択アイコンに関連付けて用意されており、そのキーコードを用いてデータ放送を選局する方法が多く、かかるキーコードを用いたコンテンツ選択が可能となる。
【００３４】
なお、プリセットされたデータ放送（コンテンツ）が永遠に継続すること、及びそのデータ放送の構造や構成が変わらないことは保証されていないため、ユーザがそのプリセットされている放送を変えることができるようにしておく。この変更の方法例を簡単に示す。まず、ユーザは、所望のデータ放送（コンテンツ）を視聴するための一連の操作を行う。更に、ユーザは、ディジタルメニューを表示させる操作を行い、このメニューのなかのユーザ設定を選択する。受信装置３０は、ユーザ設定の項目が選択されると、図５に示す”お好みディジタル設定”の画面を表示する。そして、ユーザは、変更したいカラーキーを押下し、更に決定キーを押下する。受信装置３０は前記押下されたカラーキーに前記受信したデータ放送（コンテンツ）を受信するための情報（キーコード等）を対応付ける。なお、ユーザ側での新規の登録においても、同様の処理を行えばよい。また、画面ボタンを用いる場合については、図５の表示に替えて、例えば、「気象情報  ＢＳ  ７００」といった表示を行うこととすればよい。
【００３５】
ところで、受信装置３０は、［ｄ］キーが操作されたときに、そのチャンネルのデータ放送のスタートアップ画面（初期画面）を表示するようになっている。このスタートアップ画面上で選択された項目（気象情報等）、更にその下層の項目が最終的なお好みのデータ放送（コンテンツ）となる。受信装置３０は、スタートアップ画面上で項目が選択される際に、この選択された項目の画像情報（アイコン画像）を記憶し、この画像情報もカラーキー（或いは、画面ボタン）に対応付ける。これにより、図３や図４に示したアイコン表示が可能となる。一方、画像情報の取得が行えなかった場合には、データが存在するチャンネル番号にハイフン（‐）及び登録順の枝番を付加した文字列をアイコンの替わりに表示することとしている。
【００３６】
以上の説明では、受信装置３０の本体側で、所定キー（画面ボタン）にデータ放送（コンテンツ）を選択するための情報を対応付けたが、リモコン送信機１０の側で、そのキーにプリセット情報を対応付けることもできる。例えば、リモコン送信機１０にデータ放送登録キーを設けておく。ユーザは、データ放送登録キーを操作した後、所望のデータ放送（コンテンツ）を視聴するためのキー操作を行う。リモコン送信機１０のＣＰＵは、前記データ放送登録キーが押下されたとき、そのメモリにその後の操作キーの情報を順に格納していく。リモコン送信機１０のＣＰＵは、決定キーが押された後のカラーキーの押下を検出し、再度決定キーの押下を検出すると、前記格納されたキーの情報を前記カラーキーに対応つけて記憶する。以後は、リモコン送信機１０のＣＰＵは、お好みキーが押下された後に前記カラーキーの押下を検出すると、前記メモリからキーの操作情報を読み出し、この情報に対応するリモートコントロール信号を順次に送出する処理を行っていく。ただし、この処理では、ユーザの操作の手間は省かれるが、リモコン送信機１０においては通常のデータ放送選局の過程と同様の過程を経ることとなり、選局にかかる時間は多少長くなる。
【図面の簡単な説明】
【００３７】
【図１】この発明の実施形態のディジタル放送受信装置を示したブロック図である。
【図２】確認画面例を示した説明図である。
【図３】確認画面例を示した説明図である。
【図４】ボタン画面例を示した説明図である。
【図５】プリセット変更画面例を示した説明図である。
【図６】操作例を示したフローチャートである。
【図７】従来の操作例を示したフローチャートである。
【図８】リモコン送信機を示した平面図である。
【符号の説明】
【００３８】
１    アンテナ
２    ＢＳディジタルチューナ
３    デマルチプレクサ（ＤＥＭＵＸ）
４    ＡＶデコーダ
１２  スケーラ／ＯＳＤ回路
１３  ＣＰＵ
１４  メモリ
【図１】
2005252316.tif 000003
【図２】
2005252316.tif 000004
【図３】
2005252316.tif 000005
【図４】
2005252316.tif 000006
【図５】
2005252316.tif 000007
【図６】
2005252316.tif 000008
【図７】
2005252316.tif 000009
【図８】
2005252316.tif 000010